(57)【特許請求の範囲】
【請求項１】
用紙に画像を印刷する印刷部と、
画像形成装置に収納され、用紙をセットするときには前記画像形成装置から引き出される用紙カセットと、
前記用紙カセットが前記画像形成装置から引き出されているか否かに応じて出力を変化させるカセットセンサーと、
前記カセットセンサーの出力に基づき、前記用紙カセットが前記画像形成装置から引き出されたことおよび前記画像形成装置に収納されたことを検知する制御部と、
前記用紙カセットの用紙設定に関する画面を表示し、操作を受け付ける操作表示部と、備え、
前記制御部は、前記用紙カセットを前記画像形成装置から引き出す操作または前記画像形成装置に収納する操作の一方を、前記用紙設定に関する画面を表示させるか否かを判断するための基準操作として検知し、
前記印刷部による印刷を伴う印刷ジョブの実行中以外の期間に前記基準操作が行われたとき、前記制御部は、前記用紙設定に関する画面を前記操作表示部に表示させ、
前記印刷ジョブの実行中に前記基準操作が行われたときには、前記制御部は、前記用紙設定に関する画面を前記操作表示部に表示させないことを特徴とする画像形成装置。
【請求項２】
用紙が搬送される用紙搬送路の予め定められた検知位置に設けられ、前記検知位置における用紙の有無に応じて出力を変化させる用紙有無センサーを備え、
前記制御部は、前記用紙有無センサーの出力に基づき、ジャムが発生したか否かの検知を行うとともに、前記ジャムの発生を検知したときには前記印刷ジョブを中断し、
前記印刷ジョブの実行中以外の期間であっても、前記印刷ジョブを中断させている期間に前記基準操作が行われたときには、前記制御部は、前記用紙設定に関する画面を表示させないことを特徴とする請求項１に記載の画像形成装置。
【請求項３】
前記用紙カセットの用紙残量を検知するための用紙残量センサーを備え、
前記制御部は、前記用紙残量センサーの出力に基づき、前記用紙カセットの用紙残量を検知し、
前記用紙カセットを前記画像形成装置から引き出す操作を前記基準操作として検知する場合、
前記印刷ジョブの実行中以外の期間に、前記用紙残量が予め定められた閾値よりも多い前記用紙カセットが引き出されたときに、前記制御部は、前記用紙設定に関する画面を表示させ、
前記印刷ジョブの実行中以外の期間であっても、前記用紙残量が前記閾値以下の前記用紙カセットが引き出されたときには、前記制御部は、前記用紙設定に関する画面を表示させず、
前記用紙カセットを前記画像形成装置に収納する操作を前記基準操作として検知する場合、
前記印刷ジョブの実行中以外の期間に、前記画像形成装置からの引き出し前の前記用紙残量が前記閾値よりも多かった前記用紙カセットが収納されたときに、前記制御部は、前記用紙設定に関する画面を表示させ、
前記印刷ジョブの実行中以外の期間であっても、前記画像形成装置からの引き出し前の前記用紙残量が前記閾値以下だった前記用紙カセットが収納されたときには、前記制御部は、前記用紙設定に関する画面を表示させないことを特徴とする請求項１または２に記載の画像形成装置。
【請求項４】
前記操作表示部は、前記用紙設定に関する画面として、前記用紙設定を促すための報知画面を表示し、
前記印刷ジョブの実行中以外の期間に前記基準操作が行われたとき、前記制御部は、前記報知画面を表示させることを特徴とする請求項１〜３のいずれか１項に記載の画像形成装置。
【請求項５】
前記用紙カセットを複数備え、
前記操作表示部は、前記用紙設定に関する画面として、複数の前記用紙カセットにそれぞれ対応する複数の選択キーを画面内に配した選択画面、および、前記用紙設定を受け付けるための設定画面を表示し、
前記制御部は、前記報知画面内に配された画面切替キーが操作されると、前記報知画面から前記選択画面へ表示画面を切り替えさせ、前記複数の選択キーのいずれかが操作されると、当該操作された前記選択キーに対応する前記用紙カセットの前記設定画面を表示させることを特徴とする請求項４に記載の画像形成装置。
【発明の詳細な説明】
【技術分野】
【０００１】
本発明は、用紙カセットを備えた画像形成装置に関する。
【背景技術】
【０００２】
用紙カセットを備えた画像形成装置には、用紙カセットにセットされている用紙のサイズや種類などの設定をユーザーから受け付け、用紙情報として記憶するものがある。このような画像形成装置は、たとえば、印刷ジョブの実行に際して、給紙元の用紙カセットに対応する用紙情報（用紙サイズや種類など）を確認し、その用紙情報で示される用紙に適した印刷条件で印刷ジョブを実行する。
【０００３】
たとえば、給紙元の用紙カセットに実際にセットされている用紙と、給紙元の用紙カセットに対応する用紙情報で示される用紙とが異なっている場合には（たとえば、実際には普通紙がセットされているにもかかわらず、用紙情報で示される用紙が厚紙に設定されているなど）、出力画像の画質が低下するなどの不都合が生じる。したがって、用紙カセットに現在セットされている用紙を別の用紙（用紙サイズや種類が異なっている用紙）に交換する用紙交換作業を行った場合には、その都度、対応する用紙情報を変更しなければならない。
【０００４】
そこで、特許文献１では、画像形成装置に用紙カセットが収納されたとき（用紙交換作業が行われた可能性があるとき）、当該用紙カセットに対応する用紙情報を変更するための設定画面を表示する。このように構成すると、用紙交換作業を行ったユーザーに対して、用紙情報の変更を促すことができる。
【先行技術文献】
【特許文献】
【０００５】
【特許文献１】特開２００２−２７８３７７号公報
【発明の概要】
【発明が解決しようとする課題】
【０００６】
用紙交換作業（用紙情報の更新が必要な作業）では、用紙カセットを画像形成装置から引き出す操作や画像形成装置に収納する操作が行われる。しかし、用紙カセットを画像形成装置から引き出す操作や画像形成装置に収納する操作は、用紙交換作業のときだけでなく、用紙カセットに用紙を補充する用紙補充作業（用紙サイズや紙種を変更せずに用紙の補充だけを行う作業）のときにも行われる。すなわち、用紙カセットを画像形成装置から引き出す操作や画像形成装置に収納する操作が行われても、その操作が用紙交換作業のためのものであるとは限らない。仮に、用紙補充作業だけを行った場合には、用紙情報の更新は不要である。
【０００７】
ここで、特許文献１では、画像形成装置に用紙カセットが収納されたときに、用紙情報を変更するための設定画面を表示する。このように構成すると、用紙補充作業だけを行った場合であっても、用紙情報を変更するための設定画面が不必要に表示される。この場合には、不要な設定画面を消さなければならないので、ユーザーにとっては、煩わしく利便性が悪い。また、不要な設定画面が表示されると、不要な設定画面が表示された理由が分からず、ユーザーが戸惑ってしまうこともある。
【０００８】
本発明は、上記課題を解決するためになされたものであり、用紙交換作業を行うユーザーの利便性を向上させることが可能な画像形成装置を提供することを目的とする。
【課題を解決するための手段】
【０００９】
上記目的を達成するため、本発明の画像形成装置は、用紙に画像を印刷する印刷部と、画像形成装置に収納され、用紙をセットするときには画像形成装置から引き出される用紙カセットと、用紙カセットが画像形成装置から引き出されているか否かに応じて出力を変化させるカセットセンサーと、カセットセンサーの出力に基づき、用紙カセットが画像形成装置から引き出されたことおよび画像形成装置に収納されたことを検知する制御部と、用紙カセットの用紙設定に関する画面を表示し、操作を受け付ける操作表示部と、備える。制御部は、用紙カセットを画像形成装置から引き出す操作または画像形成装置に収納する操作の一方を、用紙設定に関する画面を表示させるか否かを判断するための基準操作として検知する。そして、印刷部による印刷を伴う印刷ジョブの実行中以外の期間に基準操作が行われたとき、制御部は、用紙設定に関する画面を操作表示部に表示させ、印刷ジョブの実行中に基準操作が行われたときには、制御部は、用紙設定に関する画面を操作表示部に表示させない。
【００１０】
本発明の構成では、印刷ジョブの実行中以外の期間に、用紙カセットを画像形成装置から引き出す操作または画像形成装置に収納する操作が行われたとき（用紙交換作業が行われた可能性が高い場合）、用紙設定に関する画面を表示する。これにより、ユーザーからすると、用紙交換作業を行ったときに、用紙設定に関する画面を表示するための操作を別途行う必要がなくなり、利便性が良い。また、用紙カセットを画像形成装置から引き出す操作または画像形成装置に収納する操作が行われたときに、用紙設定に関する画面を表示するようにすると、それによってユーザーに対して用紙設定を促すことができるので、用紙設定のし忘れの発生が抑制される。
【００１１】
一方で、印刷ジョブの実行中に、用紙カセットを画像形成装置から引き出す操作または画像形成装置に収納する操作が行われたとき（用紙補充作業など用紙交換作業とは別の作業が行われた可能性が高い場合）には、用紙設定に関する画面は表示しない。これにより、用紙交換作業を行っていない（用紙設定を行う必要がない）にもかかわらず、用紙設定に関する画面が不必要に表示されるのを抑制することができる。不要な画面が表示されなければ、不要な画面を消す操作などを行わなくてもよくなり、ユーザーの利便性（操作性）が向上する。また、不要な画面が表示されることに起因してユーザーが戸惑ってしまうという不都合も生じない。
【発明の効果】
【００１２】
本発明の構成では、用紙交換作業を行うユーザーの利便性を向上させることができる。
【図面の簡単な説明】
【００１３】
【図１】本発明の一実施形態による画像形成装置の全体構成を示す図
【図２】本発明の一実施形態による画像形成装置のハードウェア構成を示す図
【図３】本発明の一実施形態による画像形成装置において装置内から用紙カセットを引き出す操作（基準操作）を検知したときに行う判断処理の流れを説明するためのフローチャート
【図４】本発明の一実施形態による画像形成装置において装置内に用紙カセットを収納する操作（基準操作）を検知したときに行う判断処理の流れを説明するためのフローチャート
【図５】本発明の一実施形態による画像形成装置において装置内から用紙カセットが引き出されたときに行う用紙設定の受付処理の流れを説明するためのフローチャート
【図６】本発明の一実施形態による画像形成装置の操作パネルに表示される報知画面（ダイアログボックス）を示す図
【図７】本発明の一実施形態による画像形成装置の操作パネルに表示される選択画面を示す図
【図８】本発明の一実施形態による画像形成装置の操作パネルに表示される設定画面（項目画面）を示す図
【図９】本発明の一実施形態による画像形成装置の操作パネルに表示される設定画面（用紙のサイズを設定するための画面）を示す図
【図１０】本発明の一実施形態による画像形成装置の操作パネルに表示される設定画面（用紙の重さを設定するための画面）を示す図
【図１１】本発明の一実施形態による画像形成装置の操作パネルに表示される設定画面（用紙の厚さを設定するための画面）を示す図
【図１２】本発明の一実施形態による画像形成装置の操作パネルに表示される設定画面（用紙の種類を設定するための画面）を示す図
【図１３】本発明の一実施形態による画像形成装置において装置内に用紙カセットが収納されたときに行う用紙設定の受付処理の流れを説明するためのフローチャート
【発明を実施するための形態】
【００１４】
以下に、本実施形態の画像形成装置について、コピージョブ、プリンタージョブおよび送信ジョブ（たとえば、ＦＡＸジョブ）など複数種のジョブの実行が可能な複合機を例にとって説明する。以下の説明では、コピージョブおよびプリンタージョブ（印刷を伴うジョブ）を総じて印刷ジョブと称する場合がある。
【００１５】
＜画像形成装置の全体構成＞
図１に示すように、本実施形態の画像形成装置１００は、画像読取部１および印刷部２を備える。画像読取部１は、原稿を読み取って画像データを生成する。原稿の読み取りを伴うジョブ（コピージョブおよび送信ジョブ）では、画像読取部１によって原稿の読み取りが行われる。
【００１６】
印刷部２は、用紙搬送路ＰＰに沿って用紙Ｐを搬送しつつ、画像データ（たとえば、画像読取部１による原稿の読み取りによって得られた画像データ）に基づきトナー像を形成する。そして、印刷部２は、搬送中の用紙Ｐにトナー像を印刷（転写）する。印刷を伴うジョブ（コピージョブおよびプリンタージョブ）では、印刷部２によって用紙Ｐへの画像の印刷が行われる。この印刷部２は、給紙部３、用紙搬送部４、画像形成部５および定着部６によって構成される。
【００１７】
給紙部３は、ピックアップローラー３１および給紙ローラー対３２を含む。ピックアップローラー３１は、用紙カセット２０にセットされた用紙Ｐを給紙ローラー対３２のニップに送り出す。給紙ローラー対３２は、そのニップに到達した用紙Ｐを用紙搬送路ＰＰに供給する。
【００１８】
用紙カセット２０には、用紙Ｐの側面に当接して用紙Ｐを位置決めする規制ガイド２１が設けられる。規制ガイド２１はスライド可能となっており、規制ガイド２１をスライドさせることにより、用紙カセット２０にセット可能な用紙サイズが変更される。なお、規制ガイド２１は、たとえば、用紙Ｐの幅方向（搬送方向と直交する方向）の位置決めを行うためのカーソルと、用紙Ｐの後端の位置決めを行うための後端ストッパーとを含む。
【００１９】
また、用紙カセット２０には、用紙Ｐが載置される載置板２２が設けられる。載置板２２は、一端を支点として回動可能となっており、載置板２２上に用紙が載置されると、その用紙Ｐの枚数に応じて傾きを変化させる。具体的には、載置板２２上の用紙枚数（用紙カセット２０の用紙残量）が増えると、載置板２２の一端（回動支点）とは反対側の他端が下方に回動する（載置板２２の傾斜角度が小さくなる）。一方で、載置板２２上の用紙枚数が減ると、載置板２２の他端が上方に回動する（載置板２２の傾斜角度が大きくなる）。
【００２０】
ここで、画像形成装置１００は、用紙カセット２０を複数備える。これら複数の用紙カセット２０は、それぞれ、画像形成装置１００の装置内に収納される。また、複数の用紙カセット２０は、それぞれ、画像形成装置１００の装置内から引き出すことが可能となっている。複数の用紙カセット２０のいずれかに用紙Ｐを新たにセットする作業や、現在セットされている用紙Ｐを別の用紙Ｐに交換する作業をユーザーが行うときには、対象となる用紙カセット２０が装置内から引き出される。そして、装置内から引き出された用紙カセット２０に用紙Ｐが新たにセットされたり、装置内から引き出された用紙カセット２０の用紙Ｐが交換されたりする。その後、装置内から引き出された用紙カセット２０が装置内に再度収納される。図１には、一例として、５つの用紙カセット２０が収納された画像形成装置１００を図示しているが、用紙カセット２０の個数は特に限定されない。
【００２１】
用紙搬送部４は、複数の搬送ローラー対４１を含み、用紙搬送路ＰＰに沿って用紙Ｐを搬送する。そして、用紙搬送部４は、最終的に、用紙Ｐ（印刷済みの用紙Ｐ）を排出トレイ４２に排出する。
【００２２】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙Ｐに転写する。
【００２３】
定着部６は、加熱ローラー６１および加圧ローラー６２を含む。加熱ローラー６１は、ヒーターを内蔵する。加圧ローラー６２は、加熱ローラー６１に圧接し、加熱ローラー６１との間で定着ニップを形成する。そして、定着部６は、定着ニップに進入した用紙Ｐを加熱および加圧し、用紙Ｐに転写されたトナー像を定着させる。
【００２４】
また、画像形成装置１００は、操作パネル７を備える。操作パネル７は、タッチパネルディスプレイ７１を含む。タッチパネルディスプレイ７１は、ソフトキーやメッセージなどを表示し、画像形成装置１００に関する各種設定をユーザーから受け付ける。また、操作パネル７には、スタートキーやテンキーなどのハードキー７２も設けられる。なお、操作パネル７は「操作表示部」に相当する。
【００２５】
＜画像形成装置のハードウェア構成＞
図２に示すように、画像形成装置１００は、制御部１１０を備える。制御部１１０は、ＣＰＵ１１１、画像処理部１１２および記憶部１１３を含む。画像処理部１１２は、画像処理専用のＡＳＩＣなどからなり、画像データに対して各種画像処理（拡大／縮小、濃度変換およびデータ形式変換など）を施す。記憶部１１３は、ＲＯＭ、ＲＡＭおよびＨＤＤなどからなる。この記憶部１１３には、制御用のプログラムおよびデータが記憶される。そして、制御部１１０は、記憶部１１３に記憶された制御用のプログラムおよびデータに基づき、画像形成装置１００の各部の動作を制御する。
【００２６】
具体的には、制御部１１０は、画像読取部１および印刷部２にそれぞれ接続され、画像読取部１の読取動作および印刷部２の印刷動作を制御する。また、制御部１１０は、操作パネル７に接続され、操作パネル７の表示動作を制御したり、操作パネル７に対して行われた操作を検知したりする。
【００２７】
また、画像形成装置１００は、通信部１２０を備える。通信部１２０は、外部装置１００００と通信可能に接続される。たとえば、外部装置１０００は、画像形成装置１００のユーザーにより使用されるユーザー端末（パーソナルコンピューター）あるいはファクシミリである。
【００２８】
プリンタージョブでは、プリンタージョブのジョブデータが外部装置１０００（ユーザー端末）から画像形成装置１００へ送信され、通信部１２０が受信する。ＦＡＸジョブなどの送信ジョブでは、通信部１２０を介して、画像形成装置１００から外部装置１０００へ画像データが送信される。
【００２９】
ここで、制御部１１０は、複数の用紙カセット２０ごとに、用紙カセット２０にセットされた用紙Ｐのサイズを検知する（サイズ検知を行う）。サイズ検知を行うため、制御部１１０には、サイズセンサー２２が接続される。サイズセンサー２２は複数存在し、複数の用紙カセット２０に対してそれぞれ設けられ、対応する用紙カセット２０の規制ガイド２１の位置に応じて出力を変化させる。そして、制御部１１０は、複数のサイズセンサー２２の各出力に基づき、対応する用紙カセット２０にセットされた用紙Ｐのサイズを検知する。
【００３０】
また、制御部１１０は、複数の用紙カセット２０ごとに、用紙カセット２０が画像形成装置１００の装置内から引き出されているか否かを検知する（カセット検知を行う）。カセット検知を行うため、制御部１１０には、カセットセンサー２３が接続される。カセットセンサー２３は複数存在し、複数の用紙カセット２０に対してそれぞれ設けられ、対応する用紙カセット２０が装置内から引き出されたか否かに応じて出力を変化させる。そして、制御部１１０は、複数のカセットセンサー２３の各出力に基づき、対応する用紙カセット２０が装置内から引き出されたことおよび装置内に収納されたことを検知する。
【００３１】
また、制御部１１０は、複数の用紙カセット２０ごとに、用紙カセット２０にセットされた用紙Ｐの残量を検知する（残量検知を行う）。残量検知を行うため、制御部１１０には、用紙残量センサー２４が接続される。用紙残量センサー２４は複数存在し、複数の用紙カセット２０に対してそれぞれ設けられる。用紙残量センサー２４は、光センサーであり、載置板２２の傾斜角度に応じて出力を変化させる。すなわち、載置板２２上の用紙枚数が増減することにより、用紙残量センサー２４の出力が変化する。そして、制御部１１０は、複数の用紙残量センサー２４の各出力に基づき、対応する用紙カセット２０の用紙残量を検知する。また、制御部１１０は、複数の用紙カセット２０の各用紙残量（検知結果）を記憶部１１３に記憶させる。
【００３２】
たとえば、用紙残量を複数段階（たとえば、１００％、７０％、５０％、３０％および１０％の５段階）に分類し、各段階にそれぞれ対応する用紙残量センサー２４の出力を予め定めた用紙残量情報が記憶部１１３に記憶される。そして、制御部１１０は、用紙残量情報で定義された複数段階の用紙残量のうち、用紙残量センサー２４の出力に対応する用紙残量を用紙カセット２０の用紙残量として検知する。
【００３３】
また、制御部１１０は、印刷ジョブの実行中に、用紙搬送路ＰＰでジャムが発生したか否かを検知する（ジャム検知を行う）。ジャム検知を行うため、制御部１１０には、用紙有無センサー２５が接続される。用紙有無センサー２５は複数存在し、用紙搬送路ＰＰの予め定められた複数の検知位置にそれぞれ設けられる。複数の用紙有無センサー２５は、対応する検知位置における用紙Ｐの有無に応じて出力を変化させる。そして、制御部１１０は、複数の用紙検知センサー２５の各出力に基づき、対応する検知位置において用紙Ｐの先端到達および後端通過を検知し、ジャムが発生したか否かを判断する。
【００３４】
たとえば、制御部１１０は、複数の用紙有無センサー２５のうち或る用紙有無センサー２５（第１センサーとする）の検知位置において用紙Ｐの先端到達を検知してから計時を開始する。そして、制御部１１０は、第１センサーの検知位置において用紙Ｐの先端到達を検知してから所定時間が経過したときに、第１センサーよりも搬送方向下流側にある用紙有無センサー２５（第２センサーとする）の検知位置に用紙Ｐの先端が到達したか否かを検知する。その結果、用紙Ｐの先端到達を検知できなければ、制御部１１０は、ジャムが発生したと判断する。この場合の所定時間というのは、第１センサーの検知位置と第２センサーの検知位置との間を用紙Ｐが進むのに要する時間であり、第１センサーの検知位置と第２センサーの検知位置との間の距離および用紙搬送速度に基づき予め算出することができる時間である。
【００３５】
制御部１１０は、印刷ジョブの実行中にジャムの発生を検知すると、実行中の印刷ジョブを中断する。そして、制御部１１０は、エラーメッセージの表示を操作パネル７に行わせ、ユーザーに対してジャム処理を促す。その後、用紙搬送路ＰＰから用紙Ｐが取り除かれ、印刷ジョブの実行が可能な状態になると、制御部１１０は、中断した印刷ジョブを再開する。
【００３６】
＜用紙設定＞
制御部１１０は、用紙カセット２０の用紙設定（用紙カセット２０にセットされた用紙Ｐに関する設定）の受け付けを操作パネル７に行わせる。たとえば、操作パネル７は、用紙設定として、複数の用紙カセット２０ごとに、対応する用紙カセット２０にセットされた用紙Ｐのサイズ、用紙Ｐの重さ、用紙Ｐの厚さ、および、用紙Ｐの種類などの設定をユーザーから受け付ける。また、制御部１１０は、複数の用紙カセット２０ごとに、操作パネル７が受け付けた用紙設定の内容を示す用紙情報を記憶部１１３に記憶させる。
【００３７】
そして、印刷ジョブを実行するとき、制御部１１０は、複数の用紙カセット２０のうちユーザーにより給紙元として指定された用紙カセット２０を認識し、給紙元の用紙カセット２０に対応する用紙情報で示される用紙サイズ（ユーザーによる用紙設定によって設定された用紙サイズ）を確認する。さらに、制御部１１０は、給紙元の用紙カセット２０に対応するサイズセンサー２２の出力に基づき、給紙元の用紙カセット２０にセットされた用紙Ｐのサイズを検知する。
【００３８】
そして、制御部１１０は、設定サイズ（ユーザーによる用紙設定によって設定された用紙サイズ）と検知サイズ（サイズセンサー２２の出力に基づき検知した実際の用紙サイズ）とが一致すれば、印刷ジョブを開始する。一方で、制御部１１０は、設定サイズと検知サイズとが一致しなければ、印刷ジョブを開始しない。この場合、制御部１１０は、サイズミスマッチエラーが発生したと判断し、エラー報知を操作パネル７に行わせる。なお、サイズミスマッチエラーが発生した場合には、給紙元の用紙カセット２０に対応する用紙情報を変更する必要がある（用紙設定を再度行わなければならない）。あるいは、給紙元の用紙カセット２０に現在セットされている用紙Ｐを交換しなければならない。
【００３９】
また、印刷ジョブを実行するとき、制御部１１０は、給紙元の用紙カセット２０に対応する用紙情報（用紙Ｐの重さ、厚さおよび種類など）に基づき、印刷条件を決定する。たとえば、制御部１１０は、給紙元の用紙カセット２０に対応する用紙情報で示される用紙Ｐの厚さに応じて、定着部６の定着ニップのニップ幅を変更する。仮に、給紙元の用紙カセット２０にセットされている用紙Ｐの実際の厚さとユーザーにより設定された用紙Ｐの厚さとが異なっていれば、用紙Ｐの実際の厚さに対して、定着ニップのニップ幅が大きくなり過ぎる（あるいは、小さくなり過ぎる）という不都合が生じる。この場合には、エラーは発生しないが（印刷ジョブは続行される）、定着不良などを起こし、出力画像の画質が低下する。
【００４０】
このように、給紙元の用紙カセット２０に実際にセットされている用紙Ｐのサイズ、重さ、厚さおよび種類と、給紙元の用紙カセット２０に対応する用紙情報で示される内容（ユーザーによる用紙設定によって設定された内容）とが異なっている場合には、エラーが発生したり、画質が低下したりする。したがって、複数の用紙カセット２０のいずれかにセットされている用紙Ｐを別の用紙Ｐに交換する用紙交換作業を行った場合には、作業対象となった用紙カセット２０に対応する用紙情報を更新する必要がる。しかし、ユーザーによっては、用紙情報の更新をし忘れることがある。あるいは、用紙情報の更新が必要なことを知らないユーザーもいる。
【００４１】
そこで、本実施形態では、複数の用紙カセット２０のいずれかが画像形成装置１００の装置内から引き出されたとき、または、画像形成装置１００の装置内から引き出された用紙カセット２０が装置内に収納されたとき、用紙設定に関する画面（図６〜図１２参照）を表示する。なお、用紙Ｐの交換の際には、複数の用紙カセット２０のいずれかが装置内から引き出されたり装置内に収納されたりする。すなわち、用紙カセット２０が装置内から引き出されたとき、および、用紙カセット２０が装置内に収納されたときというのは、用紙Ｐの交換がなされた可能性が高いときということである。
【００４２】
具体的には、制御部１１０は、用紙カセット２０を装置内から引き出す操作または装置内に収納する操作を、用紙設定に関する画面を操作パネル７に表示させるか否かを判断するための基準操作として検知する。基準操作が行われたか否かは、カセットセンサー２３の出力に基づき検知される。そして、制御部１１０は、基準操作が行われたことを検知したとき、用紙設定に関する画面を操作パネル７に表示させる。
【００４３】
ここで、画像形成装置１００の装置内から用紙カセット２０を引き出す操作や装置内に用紙カセット２０を収納する操作は、用紙交換作業のときだけでなく、用紙カセット２０に用紙Ｐを補充する用紙補充作業のときにも行われる。仮に、用紙設定に関する画面が用紙補充作業の実施時に表示されると、その画面を消す操作を行わなければならない。したがって、ユーザーにとっては煩わしい。また、ユーザーによっては、用紙設定に関する画面が表示された理由が分からず、戸惑ってしまうこともある。
【００４４】
このため、制御部１１０は、基準操作が行われたことを検知したとき、そのときの印刷ジョブの実行状況や、用紙カセット２０の用紙残量などに基づいて、用紙設定に関する画面を表示するか否かを判断する。すなわち、用紙カセット２０を画像形成装置１００から引き出したり収納したりしても、用紙設定に関する画面が表示されないこともある。
【００４５】
なお、後に詳細に説明するが、用紙設定に関する画面としては、報知画面２１０（図６参照）、選択画面２２０（図７参照）および設定画面２３０（図８〜図１２参照）などがある。そして、基準操作を検知したとき、最初に表示する画面は報知画面２１０である。ただし、基準操作を検知したとき、報知画面２１０の表示を省略し、選択画面２２０を最初に表示してもよいし、引き出しまたは収納された用紙カセット２０に対応する設定画面２３０を最初に表示してもよい。
【００４６】
まず、用紙設定に関する画面を表示するか否かの判断時に行う処理の流れについて説明する。
【００４７】
（用紙カセットを装置内から引き出す操作を基準操作とする場合の処理の流れ）
図３に示すフローチャートを参照し、画像形成装置１００の装置内から用紙カセット２０を引き出す操作を基準操作とする構成において、基準操作を検知したときに行う処理の流れについて説明する。
【００４８】
図３に示すフローチャートは、基準操作が行われたことを制御部１１０が検知したときにスタートする。すなわち、複数の用紙カセット２０のいずれかが画像形成装置１００の装置内から引き出されたとき、図３に示すフローチャートがスタートする。なお、図３に示すフローチャートのスタート時点では、印刷ジョブが実行されている場合もあれば、ジャムの発生によって印刷ジョブが中断されている場合もある。また、印刷ジョブが実行されておらず、印刷ジョブ以外のジョブが実行されている場合もある。さらに、印刷ジョブを含むジョブそのものが実行されていない場合もある。
【００４９】
基準操作の検知後、ステップＳ１において、制御部１１０は、印刷ジョブの実行中であるか否か（印刷ジョブの実行中に基準操作を検知したか否か）を判断する。その結果、印刷ジョブの実行中であると制御部１１０が判断した場合には、本フローは終了する。この場合、用紙設定に関する画面（報知画面２１０）は表示されず、用紙設定の受け付けは行われない。
【００５０】
ここで、印刷ジョブの実行中に用紙切れが発生すると、印刷ジョブが中断してしまう。このため、印刷ジョブの中断を防止するため、印刷ジョブの実行中に用紙Ｐが補充される（用紙カセット２０が引き出されたり収納されたりする）ことは多々ある。すなわち、印刷ジョブの実行中に用紙カセット２０が引き出されたり収納されたりした場合には、用紙カセット２０の引き出し操作や収納操作が用紙Ｐの補充のために行われた可能性が高い。したがって、印刷ジョブの実行中に基準操作が行われたときには、制御部１１０は、用紙設定に関する画面（報知画面２１０）を表示させない。
【００５１】
ステップＳ１において、印刷ジョブの実行中ではないと制御部１１０が判断した場合には、ステップＳ２に移行する。ステップＳ２に移行すると、制御部１１０は、印刷ジョブの中断中であるか否か（印刷ジョブを中断している期間に基準操作を検知したか否か）を判断する。その結果、印刷ジョブの中断中であると制御部１１０が判断した場合には、本フローは終了する。この場合、用紙設定に関する画面（報知画面２１０）は表示されず、用紙設定の受け付けは行われない。
【００５２】
ここで、実行中の印刷ジョブはジャムの発生によって中断する。このように印刷ジョブが中断すると、用紙搬送路ＰＰに残っている用紙Ｐを取り除くため、画像形成装置１００から用紙カセット２０が引き出されることが多い。すなわち、印刷ジョブの中断中に用紙カセット２０が引き出されたり収納されたりした場合には、用紙カセット２０の引き出し操作や収納操作がジャム処理のために行われた可能性が高い。したがって、印刷ジョブを中断させている期間に基準操作が行われたときには、制御部１１０は、用紙設定に関する画面（報知画面２１０）を表示させない。
【００５３】
ステップＳ２において、印刷ジョブの中断中ではないと制御部１１０が判断した場合には、ステップＳ３に移行する。ステップＳ３に移行すると、制御部１１０は、装置内から引き出された用紙カセット２０（基準操作としての引き出し操作の操作対象となった用紙カセット２０）が第１条件を満たす用紙カセットであるか否かを判断する。なお、制御部１１０は、装置内から引き出された用紙カセット２０の用紙残量が多い場合に、当該用紙カセット２０が第１条件を満たす用紙カセット２０であると判断する。
【００５４】
この判断を行うため、制御部１１０は、装置内から引き出された用紙カセット２０の引き出し直前の用紙残量を確認する。そして、制御部１１０は、装置内から引き出された用紙カセット２０の引き出し直前の用紙残量が予め定められた閾値（たとえば、１０％〜３０％）よりも多かった場合に、装置内から引き出された用紙カセット２０が第１条件を満たす用紙カセット２０（引き出し直前の用紙残量が多かった用紙カセット２０）であると判断する。
【００５５】
ステップＳ３での判断の結果、装置内から引き出された用紙カセット２０が第１条件を満たない場合、すなわち、当該用紙カセット２０の引き出し直前の用紙残量が少なかった場合には、本フローは終了する。この場合、用紙設定に関する画面（報知画面２１０）は表示されず、用紙設定の受け付けは行われない。
【００５６】
ここで、装置内から引き出された用紙カセット２０の用紙残量が少ない場合には、当該用紙カセット２０への用紙Ｐの補充のために引き出し操作が行われた可能性が高い。したがって、印刷ジョブの実行中以外の期間であっても、用紙残量が閾値以下の用紙カセット２０（第１条件を満たさない用紙カセット２０）が装置内から引き出されたときには、制御部１１０は、用紙設定に関する画面（報知画面２１０）を表示させない。
【００５７】
ステップＳ３において、装置内から引き出された用紙カセット２０が第１条件を満たす用紙カセット２０であった場合には、ステップＳ４に移行する。ステップＳ４に移行すると、制御部１１０は、用紙設定に関する画面（報知画面２１０）を操作表示部７に表示させる。すなわち、印刷ジョブの実行中以外の期間に、用紙残量が閾値よりも多い用紙カセット２０が装置内から引き出されたときに、制御部１１０は、用紙設定に関する画面（報知画面２１０）を表示させる。
【００５８】
なお、ステップＳ３の処理は省略されてもよい。すなわち、ステップＳ２での判断の結果、印刷ジョブの中断中ではなかった場合に、用紙設定に関する画面（報知画面２１０）を表示させてもよい。
【００５９】
（用紙カセットを装置内に収納する操作を基準操作とする場合の処理の流れ）
図４に示すフローチャートを参照し、画像形成装置１００の装置内に用紙カセット２０を収納する操作を基準操作とする構成において、基準操作を検知したときに行う処理の流れについて説明する。
【００６０】
図４に示すフローチャートは、基準操作が行われたことを制御部１１０が検知したときにスタートする。すなわち、複数の用紙カセット２０のいずれかが画像形成装置１００の装置内に収納されたとき、図４に示すフローチャートがスタートする。なお、図４に示すフローチャートのスタート時点では、印刷ジョブが実行されている場合もあれば、ジャムの発生によって印刷ジョブが中断されている場合もある。また、印刷ジョブが実行されておらず、印刷ジョブ以外のジョブが実行されている場合もある。さらに、印刷ジョブを含むジョブそのものが実行されていない場合もある。
【００６１】
なお、図４に示すフローチャートのステップＳ１１およびＳ１２の処理は、図３に示したフローチャートのステップ１およびＳ２の処理と同じである。したがって、図４に示すフローチャートのステップＳ１１およびＳ１２の処理の説明については、図３に示したフローチャートのステップＳ１およびＳ２の処理の説明を援用するものとして省略する。
【００６２】
ステップＳ１２において、印刷ジョブの中断中ではないと制御部１１０が判断した場合には、ステップＳ１３に移行する。ステップＳ１３に移行すると、制御部１１０は、装置内に収納された用紙カセット２０（基準操作としての収納操作の操作対象となった用紙カセット２０）が第２条件を満たす用紙カセットであるか否かを判断する。なお、制御部１１０は、装置内に収納された用紙カセット２０の装置内からの引き出し直前の用紙残量が多かった場合に、当該用紙カセット２０が第２条件を満たす用紙カセット２０であると判断する。
【００６３】
この判断を行うため、制御部１１０は、装置内に収納された用紙カセット２０の装置内からの引き出し直前の用紙残量を確認する。そして、制御部１１０は、装置内に収納された用紙カセット２０の装置内からの引き出し直前の用紙残量が予め定められた閾値（たとえば、１０％〜３０％）よりも多かった場合に、装置内に収納された用紙カセット２０が第２条件を満たす用紙カセット２０（装置内からの引き出し直前の用紙残量が多かった用紙カセット２０）であると判断する。
【００６４】
ステップＳ１３での判断の結果、装置内に収納された用紙カセット２０が第２条件を満たさない場合、すなわち、当該用紙カセット２０の装置内からの引き出し直前の用紙残量が少なかった場合には、本フローは終了する。この場合、用紙設定に関する画面（報知画面２１０）は表示されず、用紙設定の受け付けは行われない。すなわち、印刷ジョブの実行中以外の期間であっても、装置内からの引き出し直前の用紙残量が閾値以下だった用紙カセット２０（第２条件を満たさない用紙カセット２０）が装置内に収納されたときには、制御部１１０は、用紙設定に関する画面（報知画面２１０）を表示させない。
【００６５】
ステップＳ１３において、装置内に収納された用紙カセット２０が第２条件を満たす用紙カセット２０であった場合には、ステップＳ１４に移行する。ステップＳ１４に移行すると、制御部１１０は、用紙設定に関する画面（報知画面２１０）を操作表示部７に表示させる。すなわち、印刷ジョブの実行中以外の期間に、装置内からの引き出し直前の用紙残量が閾値よりも多かった用紙カセット２０が装置内に収納されたときに、制御部１１０は、用紙設定に関する画面（報知画面２１０）を表示させる。
【００６６】
なお、ステップＳ１３の処理は省略されてもよい。すなわち、ステップＳ１２での判断の結果、印刷ジョブの中断中ではなかった場合に、用紙設定に関する画面（報知画面２１０）を表示させてもよい。
【００６７】
次に、用紙設定に関する画面にて用紙設定を受け付けるときに行う処理の流れについて説明する。
【００６８】
（用紙カセットが引き出されたときに用紙設定を受け付ける場合の処理の流れ）
図５に示すフローチャートを参照し、複数の用紙カセット２０のいずれかが画像形成装置１００の装置内から引き出されたときに用紙設定を受け付ける場合の処理の流れについて説明する。
【００６９】
図５に示すフローチャートのスタートは、複数の用紙カセット２０のいずれかを画像形成装置１００の装置内から引き出す操作（基準操作）を制御部１１０が検知し、操作パネル７による報知画面２１０の表示が開始されたときである。すなわち、印刷ジョブが実行されている期間ではなく、印刷ジョブが中断されている期間でもない期間に、第１条件を満たす用紙カセット２０が装置内から引き出されたとき、図５に示すフローチャートがスタートする。
【００７０】
ここで、操作パネル７は、図６に示すような報知画面２１０（ダイアログボックス）を現在表示中の画面上にポップアップ表示する。報知画面２１０の画面内には、用紙設定を行うようユーザーに促すための報知メッセージＭが配される。特に限定されないが、用紙カセット２０にセットされていた用紙Ｐを別の用紙Ｐに交換した場合には当該用紙Ｐのサイズや種類を確認するよう促すメッセージが報知メッセージＭとされる。
【００７１】
また、報知画面２１０の画面内には、ソフトキーとして、画面切替キー２１１およびＯＫキー２１２が配される。画面切替キー２１１は、報知画面２１０から後述する選択画面２２０（図７参照）への表示画面の切替指示を受け付けるためのキーである。図６においては、「Ｃｈａｎｇｅ」と表記されたソフトキーが画面切替キー２１１に相当する。ＯＫキー２１２は、報知画面２１０の表示の停止指示を受け付けるためのキーである。
【００７２】
このような報知画面２１０の表示が開始されると、図５のステップＳ２１において、制御部１１０は、画面切替指示（報知画面２１０の画面切替キー２１１に対するタッチ操作）を操作パネル７が受け付けたか否かを判断する。その結果、画面切替指示を受け付けていないと制御部１１０が判断した場合には、ステップＳ２２に移行する。
【００７３】
ステップＳ２２に移行すると、制御部１１０は、表示停止指示（報知画面２１０のＯＫキー２１２に対するタッチ操作）を操作パネル７が受け付けたか否かを判断する。その結果、表示停止指示を受け付けたと制御部１１０が判断した場合には、報知画面２１０の表示が停止され、本フローは終了する。一方で、表示停止指示を受け付けていないと制御部１１０が判断した場合には、ステップＳ２１の判断が繰り返される。
【００７４】
ステップＳ２１において、画面切替指示（報知画面２１０の画面切替キー２１１に対するタッチ操作）を受け付けたと制御部１１０が判断した場合には、ステップＳ２３に移行する。ステップＳ２３に移行すると、制御部１１０は、複数の用紙カセット２０のうち２つ以上の用紙カセット２０が装置内から引き出されているか否かを判断する。その結果、２つ以上の用紙カセット２０が装置内から引き出されている場合には、ステップＳ２４に移行する。すなわち、複数の用紙カセット２０のいずれかが装置内から引き出されたことによって報知画面２１０を表示して以降、画面切替指示（報知画面２１０の画面切替キー２１１に対するタッチ操作）を受けるまでの間に、別の用紙カセット２０が装置内から引き出された場合に、ステップＳ２４に移行する。
【００７５】
なお、第１条件を満たす用紙カセット２０（引き出す直前の用紙残量が閾値よりも多かった用紙カセット２０）が２つ以上装置内から引き出されている場合にのみ、ステップＳ２４に移行するよう構成してもよい。すなわち、２つ以上の用紙カセット２０が装置内から引き出されていても、その中で、第１条件を満たす用紙カセット２０が１つだけの場合には、ステップＳ３０に移行するよう構成してもよい。
【００７６】
ステップＳ２４に移行すると、制御部１１０は、選択画面２２０（図７参照）を操作パネル７に表示させる。その後、ステップＳ２５に移行する。
【００７７】
選択画面２２０の画面内には、図７に示すように、複数の用紙カセット２０にそれぞれ対応する複数の選択キー２２１（ソフトキー）が配される。また、複数の選択キー２２１には、それぞれ、対応する用紙カセット２０に対して行われた用紙設定の設定内容（ユーザーによる用紙設定によって設定された用紙情報の現在の内容）を示すテキスト情報が付される。すなわち、用紙Ｐのサイズ（Ｓｉｚｅ）、重さ（Ｗｅｉｇｈｔ）、厚さ（Ｔｈｉｃｋｎｅｓｓ）、および、種類（Ｔｙｐｅ）が表示される。図７では、便宜上、用紙サイズを「○○」で示し、重さを「××」で示し、厚さを「△△」で示し、種類を「□□」で示す。なお、図示しない手差しトレイ（Ｍｕｌｔｉ  Ｐｕｒｐｏｓｅ  Ｔｒａｙ）が画像形成装置１００に設けられる場合には、手差しトレイに対応する選択キー２２１が選択画面２２０の画面内に配される。
【００７８】
ここで、選択画面２２０は、複数の用紙カセット２０のうちから用紙設定の設定対象の選択指示を受け付けるための画面である。すなわち、複数の選択キー２２１のいずれかに対してタッチ操作を行うと、タッチ操作を行った選択キー２２１に対応する用紙カセット２０の用紙設定を行えるようになる。
【００７９】
なお、選択画面２２０の画面内には、ソフトキーとして、終了キー２２２が配される。終了キー２２２は、用紙設定の終了指示を受け付けるためのキーである。この終了キー２２２に対してタッチ操作を行うと、選択画面２２０の表示は停止され、用紙設定の受け付けが終了する。図７においては、「Ｃｌｏｓｅ」と表記されたソフトキーが終了キー２２２に相当する。
【００８０】
図５のステップＳ２５に移行すると、制御部１１０は、カセット選択指示（選択画面２２０の複数の選択キー２２１のいずれかに対するタッチ操作）を受け付けたか否かを判断する。その結果、カセット選択指示を受け付けていないと制御部１１０が判断した場合には、ステップＳ２６に移行する。ステップＳ２６に移行すると、制御部１１０は、用紙設定の終了指示（選択画面２２０の終了キー２２２に対するタッチ操作）を受け付けたか否かを判断する。その結果、用紙設定の終了指示を受け付けていないと制御部１１０が判断した場合には、ステップＳ２５に戻る。一方で、用紙設定の終了指示を受け付けたと制御部１１０が判断した場合には、本フローは終了する。
【００８１】
ステップＳ２５において、カセット選択指示（選択画面２２０の複数の選択キー２２１のいずれかに対するタッチ操作）を受け付けたと制御部１１０が判断した場合には、ステップＳ２７に移行する。ステップＳ２７に移行すると、制御部１１０は、選択画面２２０にて選択された用紙カセット２０（タッチ操作された選択キー２２１に対応する用紙カセット２０）を用紙設定の設定対象として認識する。
【００８２】
その後、ステップＳ２８において、制御部１１０は、設定対象の用紙カセット２０に対応する設定画面２３０（図８参照）を操作パネル７に表示させる。そして、ステップＳ２９に移行する。
【００８３】
このときに操作パネル７が表示する設定画面２３０は、図８に示すように、設定項目を選択するための項目画面２４０である。すなわち、項目画面２４０は、用紙Ｐのサイズ、重さ、厚さおよび種類のうちから、設定（変更）する項目を選択するための画面である。
【００８４】
項目画面２４０の画面内には、ソフトキーとして、複数の項目キー２４１〜２４４が配される。複数の項目キー２４１〜２４４は、それぞれ、用紙Ｐのサイズ、重さ、厚さおよび種類に対応する。図８においては、「Ｃｈａｎｇｅ」と表記された複数のソフトキーがそれぞれ項目キー２４１〜２４４に相当する。また、複数の項目キー２４１〜２４４には、それぞれ、対応する項目の設定内容（ユーザーによる用紙設定によって設定された用紙情報の現在の内容）を示すテキスト情報が付される。
【００８５】
なお、項目画面２４０の画面内には、ソフトキーとして、確定キー２４５が配される。確定キー２４５は、後述する詳細設定画面２５０（図９〜図１２参照）で設定した内容の確定指示を受け付けるためのキーである。また、確定キー２４５は、選択画面２２０（図７参照）への表示画面の切替指示を受け付けるためのキーでもある。この確定キー２４５に対してタッチ操作を行うと、後述する詳細設定画面２５０（図９〜図１２参照）で設定した内容が確定され、用紙情報として記憶部１１３に記憶される。そして、表示画面が項目画面２４０から選択画面２２０に切り替わる。図８においては、「Ｃｌｏｓｅ」と表記されたソフトキーが確定キー２４５に相当する。
【００８６】
たとえば、制御部１１０は、項目キー２４１に対するタッチ操作が行われると、用紙Ｐのサイズの設定を受け付けるための詳細設定画面２５０（図９参照）を設定画面２３０として操作パネル７に表示させる。図９に示す詳細設定画面２５０の画面内には、複数のソフトキーＳＫ１１〜ＳＫ１５が配される。
【００８７】
ソフトキーＳＫ１１に対してタッチ操作を行うと、用紙サイズを自動設定モードに設定することができる。この場合、単位系を「ミリメートル」にするか「インチ」にするかの指定を行える。ソフトキーＳＫ１２およびＳＫ１３に対してタッチ操作を行うと、複数の定型サイズが選択肢として表示され、その中から所望サイズを設定することができる。ソフトキーＳＫ１４に対してタッチ操作を行うと、複数の不定型サイズ（たとえば、予め登録されたサイズ）が選択肢として表示され、その中から所望サイズを設定することができる。ソフトキーＳＫ１５に対してタッチ操作を行うと、たとえば、数値入力キーが表示され、その数値入力キーによって所望サイズを数値入力することができる。
【００８８】
また、制御部１１０は、項目キー２４２に対するタッチ操作が行われると、用紙Ｐの重さの設定を受け付けるための詳細設定画面２５０（図１０参照）を設定画面２３０として操作パネル７に表示させる。図１０に示す詳細設定画面２５０の画面内には、複数のソフトキーＳＫ２１〜ＳＫ２５が配される。複数のソフトキーＳＫ２１〜ＳＫ２５は、それぞれ、互いに異なる重さ範囲に対応するキーであり、ソフトキーＳＫ２１〜ＳＫ２５の順番で対応する重さが重くなるよう設定される。そして、用紙Ｐの重さを設定するときには、複数のソフトキーＳＫ２１〜ＳＫ２５のうち、所望の重さに対応するソフトキーに対してタッチ操作を行えばよい。なお、図１０では、重さの値をｗ１〜ｗ１０で示す。
【００８９】
また、制御部１１０は、項目キー２４３に対するタッチ操作が行われると、用紙Ｐの厚さの設定を受け付けるための詳細設定画面２５０（図１１参照）を設定画面２３０として操作パネル７に表示させる。図１１に示す詳細設定画面２５０の画面内には、複数のソフトキーＳＫ３１〜ＳＫ３５が配される。複数のソフトキーＳＫ３１〜ＳＫ３５は、それぞれ、互いに異なる厚さ範囲に対応するキーであり、ソフトキーＳＫ３１〜ＳＫ３５の順番で対応する厚さが厚くなるよう設定される。そして、用紙Ｐの厚さを設定するときには、複数のソフトキーＳＫ３１〜ＳＫ３５のうち、所望の厚さに対応するソフトキーに対してタッチ操作を行えばよい。なお、図１１では、厚さの値をｔ１〜ｔ１０で示す。
【００９０】
また、制御部１１０は、項目キー２４４に対するタッチ操作が行われると、用紙Ｐの種類の設定を受け付けるための詳細設定画面２５０（図１２参照）を設定画面２３０として操作パネル７に表示させる。図１２に示す詳細設定画面２５０の画面内には、複数のソフトキーＳＫ４１〜ＳＫ４５が配される。複数のソフトキーＳＫ４１〜ＳＫ４５は、それぞれ、互いに異なる紙種に対応するキーである。特に限定されないが、複数のソフトキーＳＫ４１〜ＳＫ４５は、それぞれ、普通紙、ＯＨＰシート、ラベル、ハガキおよび封筒に対応する。そして、用紙Ｐの種類を設定するときには、複数のソフトキーＳＫ４１〜ＳＫ４５のうち、所望の紙種に対応するソフトキーに対してタッチ操作を行えばよい。
【００９１】
また、詳細設定画面２５０（図９〜図１２参照）には、ソフトキーとして、キャンセルキー２５１およびＯＫキー２５２が配される。キャンセルキー２５１は、詳細設定画面２５０にて設定した内容のキャンセル指示を受け付けるためのキーである。ＯＫキー２５２は、項目画面２４０（図８参照）への表示画面の切替指示を受け付けるためのキーである。このＯＫキー２５２に対してタッチ操作を行うと、表示画面が詳細設定画面２５０から項目画面２４０に切り替わる。
【００９２】
図５のステップＳ２９に移行すると、制御部１１０は、確定指示（項目画面２４０の確定キー２４５に対するタッチ操作）を操作パネル７が受け付けたか否かを判断する。その結果、確定指示を受け付けたと制御部１１０が判断した場合には、ステップＳ２４に戻る。すなわち、操作パネル７に選択画面２２０（図７参照）が表示される。これにより、引き続き、別の用紙カセット２０に対する用紙設定を行える。なお、ステップＳ２９からステップＳ２４に戻るとき、制御部１１０は、詳細設定画面２５０で設定された内容を用紙情報として記憶部１１３に記憶させる。一方で、確定指示を受け付けていないと制御部１１０が判断した場合には、ステップＳ２９の判断が繰り返される。
【００９３】
また、ステップＳ２３において、複数の用紙カセット２０のうち装置内から引き出されている用紙カセット２０が１つだけであると制御部１１０が判断した場合には、ステップＳ３０に移行する。すなわち、複数の用紙カセット２０のいずれかが装置内から引き出されたことによって報知画面２１０を表示して以降、画面切替指示（報知画面２１０の画面切替キー２１１に対するタッチ操作）を受けるまでの間に、別の用紙カセット２０が装置内から引き出されなかった場合に、ステップＳ３０に移行する。
【００９４】
ステップＳ３０に移行すると、制御部１１０は、複数の用紙カセット２０のうち装置内から直近に引き出された用紙カセット２０を用紙設定の設定対象として認識し、設定対象の用紙カセット２０に対応する設定画面２３０（図８〜図１２参照）を操作パネル７に表示させる。そして、操作パネル７は、設定画面２３０を表示すると、その設定画面２３０に対する操作に応じて表示画面を切り替えるとともに、各種用紙設定を受け付ける。この場合には、選択画面２２０（図７参照）は表示されない。
【００９５】
続いて、ステップＳ３１において、制御部１１０は、確定指示（項目画面２４０の確定キー２４５に対するタッチ操作）を操作パネル７が受け付けたか否かを判断する。その結果、確定指示を受け付けたと制御部１１０が判断した場合には、本フローは終了する（用紙設定が終了する）。このとき、制御部１１０は、詳細設定画面２５０（図９〜図１２参照）で設定された内容を用紙情報として記憶部１１３に記憶させる。すなわち、選択画面２２０（図７参照）は表示されない。ただし、この場合であっても、確定指示を受けて選択画面２２０を表示し、用紙設定の終了指示を受けて用紙設定を終了してもよい。一方で、確定指示を受け付けていないと制御部１１０が判断した場合には、ステップＳ３１の判断が繰り返される。
【００９６】
なお、複数の用紙カセット２０のいずれかが装置内から引き出されたことをトリガーとして報知画面２１０（図６参照）を表示する構成の場合、制御部１１０は、報知画面２１０を操作パネル７に表示させて以降、用紙設定の終了指示（選択画面２２０の終了キー２２２に対するタッチ操作）を操作パネル７が受け付けるまでの間に、別の用紙カセット２０が装置内から引き出されても、報知画面２１０を新たに表示させない。すなわち、報知画面２１０、選択画面２２０（図７参照）および設定画面（図８〜図１２参照）のいずれかが表示されているときに、別の用紙カセット２０を装置内から引き出しても、報知画面２１０は新たに表示されない。
【００９７】
（用紙カセットが収納されたときに用紙設定を受け付ける場合の処理の流れ）
図１３に示すフローチャートを参照し、複数の用紙カセット２０のいずれかが画像形成装置１００の装置内に収納されたときに用紙設定を受け付ける場合の処理の流れについて説明する。
【００９８】
図１３に示すフローチャートのスタートは、複数の用紙カセット２０のいずれかを画像形成装置１００の装置内に収納する操作（基準操作）を制御部１１０が検知し、操作パネル７による報知画面２１０の表示が開始されたときである。すなわち、印刷ジョブが実行されている期間ではなく、印刷ジョブが中断されている期間でもない期間に、第２条件を満たす用紙カセット２０が装置内に収納されたとき、図１３に示すフローチャートがスタートする。
【００９９】
ステップＳ４１において、制御部１１０は、画面切替指示（報知画面２１０の画面切替キー２１１に対するタッチ操作）を操作パネル７が受け付けたか否かを判断する。その結果、画面切替指示を受け付けていないと制御部１１０が判断した場合には、ステップＳ４２に移行する。
【０１００】
ステップＳ４２に移行すると、制御部１１０は、表示停止指示（報知画面２１０のＯＫキー２１２に対するタッチ操作）を操作パネル７が受け付けたか否かを判断する。その結果、表示停止指示を受け付けたと制御部１１０が判断した場合には、報知画面２１０の表示が停止され、本フローは終了する。一方で、表示停止指示を受け付けていないと制御部１１０が判断した場合には、ステップＳ４１の判断が繰り返される。
【０１０１】
ステップＳ４１において、画面切替指示（報知画面２１０の画面切替キー２１１に対するタッチ操作）を受け付けたと制御部１１０が判断した場合には、ステップＳ４３に移行する。ステップＳ４３に移行すると、制御部１１０は、複数の用紙カセット２０のいずれかが装置内に収納されたときに報知画面２１０（図６参照）を操作パネル７に表示させてから、画面切替指示（報知画面２１０の画面切替キー２１１に対するタッチ操作）を操作パネル７が受け付けるまでの期間に、別の用紙カセット２０が装置内から引き出されていたか否かを判断する。
【０１０２】
ステップＳ４３での判断の結果、別の用紙カセット２０が引き出されていた場合には、ステップＳ４４に移行する。一方で、別の用紙カセット２０が引き出されていなかった場合には、ステップＳ５０に移行する。
【０１０３】
なお、第２条件を満たす用紙カセット２０（引き出す直前の用紙残量が閾値よりも多かった用紙カセット２０）が前記期間に２つ以上装置内から引き出されていた場合にのみ、ステップＳ４４に移行するよう構成してもよい。すなわち、２つ以上の用紙カセット２０が前記期間に装置内から引き出されていたとしても、その中で、第２条件を満たす用紙カセット２０が１つだけだった場合には、ステップＳ５０に移行するよう構成してもよい。
【０１０４】
ここで、図１３に示すフローチャートのステップＳ４４〜Ｓ４９までの処理は、図５に示したフローチャートのステップＳ２４〜Ｓ２９までの処理と同じである。したがって、図１３に示すフローチャートのステップＳ４４〜Ｓ４９までの処理の説明については、図５に示したフローチャートのステップＳ２４〜Ｓ２９までの処理の説明を援用するものとして省略する。
【０１０５】
ステップＳ４３からステップＳ５０に移行すると、制御部１１０は、複数の用紙カセット２０のうち装置内に直近に収納された用紙カセット２０を用紙設定の設定対象として認識し、設定対象の用紙カセット２０に対応する設定画面２３０（図８〜図１２参照）を操作パネル７に表示させる。そして、操作パネル７は、設定画面２３０を表示すると、その設定画面２３０に対する操作に応じて表示画面を切り替えるとともに、各種用紙設定を受け付ける。この場合には、選択画面２２０（図７参照）は表示されない。
【０１０６】
続いて、ステップＳ５１において、制御部１１０は、確定指示（項目画面２４０の確定キー２４５に対するタッチ操作）を操作パネル７が受け付けたか否かを判断する。その結果、確定指示を受け付けたと制御部１１０が判断した場合には、本フローは終了する（用紙設定が終了する）。このとき、制御部１１０は、詳細設定画面２５０（図９〜図１２参照）で設定された内容を用紙情報として記憶部１１３に記憶させる。すなわち、選択画面２２０（図７参照）は表示されない。ただし、この場合であっても、確定指示を受けて選択画面２２０を表示し、用紙設定の終了指示を受けて用紙設定を終了してもよい。一方で、確定指示を受け付けていないと制御部１１０が判断した場合には、ステップＳ５１の判断が繰り返される。
【０１０７】
なお、複数の用紙カセット２０のいずれかが装置内に収納されたことをトリガーとして報知画面２１０（図６参照）を表示する構成の場合、制御部１１０は、報知画面２１０を操作パネル７に表示させて以降、用紙設定の終了指示（選択画面２２０の終了キー２２２に対するタッチ操作）を操作パネル７が受け付けるまでの間に、別の用紙カセット２０が装置内に収納されても、報知画面２１０を新たに表示させない。すなわち、報知画面２１０、選択画面２２０（図７参照）および設定画面（図８〜図１２参照）のいずれかが表示されているときに、別の用紙カセット２０を装置内に収納しても、報知画面２１０は新たに表示されない。
【０１０８】
本実施形態の画像形成装置１００は、上記のように、用紙Ｐに画像を印刷する印刷部２と、画像形成装置１００に収納され、用紙Ｐをセットするときには画像形成装置１００から引き出される用紙カセット２０と、用紙カセット２０が画像形成装置１００から引き出されているか否かに応じて出力を変化させるカセットセンサー２３と、カセットセンサー２３の出力に基づき、用紙カセット２０が画像形成装置１００から引き出されたことおよび画像形成装置１００に収納されたことを検知する制御部１１０と、用紙カセット２０の用紙設定に関する画面を表示し、操作を受け付ける操作パネル７（操作表示部）と、備える。制御部１１０は、用紙カセット２０を画像形成装置１００から引き出す操作または画像形成装置１００に収納する操作の一方を、用紙設定に関する画面を表示させるか否かを判断するための基準操作として検知する。そして、印刷部２による印刷を伴う印刷ジョブの実行中以外の期間に基準操作が行われたとき、制御部１１０は、用紙設定に関する画面を操作パネル７に表示させ、印刷ジョブの実行中に基準操作が行われたときには、制御部１１０は、用紙設定に関する画面を操作パネル７に表示させない。
【０１０９】
本実施形態の構成では、印刷ジョブの実行中以外の期間に、用紙カセット２０を画像形成装置１００から引き出す操作または画像形成装置１００に収納する操作が行われたとき（用紙交換作業が行われた可能性が高い場合）、用紙設定に関する画面を表示する。これにより、ユーザーからすると、用紙交換作業を行ったときに、用紙設定に関する画面を表示するための操作を別途行う必要がなくなり、利便性が良い。また、用紙カセット２０を画像形成装置１００から引き出す操作または画像形成装置１００に収納する操作が行われたときに、用紙設定に関する画面を表示するようにすると、それによってユーザーに対して用紙設定を促すことができるので、用紙設定のし忘れの発生が抑制される。
【０１１０】
一方で、印刷ジョブの実行中に、用紙カセット２０を画像形成装置１００から引き出す操作または画像形成装置１００に収納する操作が行われたとき（用紙補充作業など用紙交換作業とは別の作業が行われた可能性が高い場合）には、用紙設定に関する画面は表示しない。これにより、用紙交換作業を行っていない（用紙設定を行う必要がない）にもかかわらず、用紙設定に関する画面が不必要に表示されるのを抑制することができる。不要な画面が表示されなければ、不要な画面を消す操作などを行わなくてもよくなり、ユーザーの利便性（操作性）が向上する。また、不要な画面が表示されることに起因してユーザーが戸惑ってしまうという不都合も生じない。
【０１１１】
また、本実施形態では、上記のように、制御部１１０は、印刷ジョブの実行中以外の期間あっても、印刷ジョブを中断させている期間に基準操作が行われたときには、用紙設定に関する画面を表示させない。これにより、ジャム処理の実施時に、用紙カセット２０を画像形成装置１００から引き出す操作や画像形成装置１００に収納する操作を行っても、用紙設定に関する画面が不必要に表示されることはない。
【０１１２】
また、本実施形態では、上記のように、用紙カセット２０を画像形成装置１００から引き出す操作を基準操作として検知する場合、印刷ジョブの実行中以外の期間に、用紙残量が閾値よりも多い用紙カセット２０が引き出されたときに、制御部１１０は、用紙設定に関する画面を表示させ、印刷ジョブの実行中以外の期間であっても、用紙残量が閾値以下の用紙カセット２０が引き出されたときには、制御部１１０は、用紙設定に関する画面を表示させない。また、用紙カセット２０を画像形成装置１００に収納する操作を基準操作として検知する場合、印刷ジョブの実行中以外の期間に、画像形成装置１００からの引き出し前の用紙残量が閾値よりも多かった用紙カセット２０が収納されたときに、制御部１１０は、用紙設定に関する画面を表示させ、印刷ジョブの実行中以外の期間であっても、画像形成装置１００からの引き出し前の用紙残量が閾値以下だった用紙カセット２０が収納されたときには、制御部１１０は、用紙設定に関する画面を表示させない。これにより、用紙残量が少なくなった用紙カセット２０に用紙Ｐを補充する作業の実施時に、用紙カセット２０を画像形成装置１００から引き出す操作や画像形成装置１００に収納する操作を行っても、用紙設定に関する画面が不必要に表示されることはない。
【０１１３】
また、本実施形態では、上記のように、印刷ジョブの実行中以外の期間に基準操作が行われたとき、制御部１１０は、報知画面２１０を表示させる。これにより、用紙設定のし忘れの発生を確実に抑制することができる。また、最初に報知画面２１０を表示すれば、報知画面２１０から遷移できる画面（選択画面２２０や設定画面２３０）が何の為に表示されるのかをユーザーに認識させることができるので、報知画面２１０から選択画面２２０に表示画面が切り替わったときに、ユーザーが戸惑うことはない（この時点では、用紙設定が必要であることをユーザーが認識している）。
【０１１４】
また、本実施形態では、上記のように、制御部１１０は、報知画面２１０の画面内に配された画面切替キー２１１が操作されると、報知画面２１０から選択画面２２０へ表示画面を切り替えさせ、複数の選択キー２２１のいずれかが操作されると、当該操作された選択キー２２１に対応する用紙カセット２０の設定画面２３０を表示させる。これにより、選択画面２２０の画面内に配された複数の選択キー２２１のうち、用紙Ｐを交換した用紙カセット２０に対応する選択キー２２１に対して操作すると、当該操作した選択キー２２１に対応する用紙カセット２０（用紙Ｐを交換した用紙カセット２０）の設定画面２３０だけが表示され、用紙設定を行えるようになる。このとき、不要な設定画面２３０（用紙Ｐを交換していない用紙カセット２０の設定画面２３０）は表示されないので、不要な設定画面２３０を消す操作などを行わなくてもよくなり、ユーザーの利便性（操作性）が向上する。また、不要な設定画面２３０が表示されることに起因してユーザーが戸惑ってしまうという不都合も生じない。
【０１１５】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１１６】
２  印刷部
７  操作パネル（操作表示部）
２０  用紙カセット
２３  カセットセンサー
２４  用紙残量センサー
２５  用紙有無センサー
１００  画像形成装置
１１０  制御部
２１０  報知画面
２１１  画面切替キー
２２０  選択画面
２２１  選択キー
２３０  設定画面
【図１】
0006330764.tif 000002
【図２】
0006330764.tif 000003
【図３】
0006330764.tif 000004
【図４】
0006330764.tif 000005
【図５】
0006330764.tif 000006
【図６】
0006330764.tif 000007
【図７】
0006330764.tif 000008
【図８】
0006330764.tif 000009
【図９】
0006330764.tif 000010
【図１０】
0006330764.tif 000011
【図１１】
0006330764.tif 000012
【図１２】
0006330764.tif 000013
【図１３】
0006330764.tif 000014